(57)【要約】【課題】輸送時における振動や衝撃により、食品トレーパック内に入れている食品に損傷を与える事態を阻止すると共に、包装箱を複数段に積み上げて運搬する際に、包装箱同士の重なり部分に位置ズレが生じる事態を確実に阻止した食品トレーパック収納用包装箱を提供する。【解決手段】底パネル２の対向する２辺から起立して箱体１の側壁を形成する側壁パネル５の端部を延長させ、中間の谷折り線部分Ｑを介して内側に折り曲げ、さらに底面部位置から山折り線部分Ｐを介して外側へ折り返すことにより側壁パネル５の縁端部を箱体１の側壁内面略中間に当接配置して成る支持パネル６と、当該支持パネル６に対応すべく、箱体１内に当該支持パネル６と同じ高さとなるように配した２枚折構造の縦方向仕切パネル１１を備え、支持パネル６と縦方向仕切パネル１１により食品トレーパックＳのフランジ部Ｆを支持し、食品トレーパックＳを箱体１内で浮かせた状態で収納する。【選択図】図２
0003116606.tif 000002
【実用新案登録請求の範囲】
【請求項１】
食品トレーパックを、箱体内で浮かせた状態で収納することを特徴とする食品トレーパック収納用包装箱。
【請求項２】
箱体の縁に、当該箱体の上端の一部を覆う補強用の桟を設けた請求項１に記載の食品トレーパック収納用包装箱。
【請求項３】
箱体の側面上端における中央部もしくは角部に、当該箱体の上側に載せられる他の箱体の側面下端における中央部もしくは角部に形成された差込孔に差込可能とする差込片を備えた請求項１または２に記載の食品トレーパック収納用包装箱。
【請求項４】
箱体の内側に折り曲げられた側面内壁の延長先端側を、底面部位置から山折り線部分を介して外側へ折り返して、側面内壁の略中間の高さ位置まで当接配置して成る食品トレーパックのフランジ部係止用の支持パネルを備えた請求項１乃至３のいずれかに記載の食品トレーパック収納用包装箱。
【請求項５】
前記支持パネルに対応すべく、箱体内に当該支持パネルと同じ高さとなるように配した縦方向仕切パネルを備え、支持パネルと縦方向仕切パネルにより食品トレーパックのフランジ部を支持した請求項４に記載の食品トレーパック収納用包装箱。
【請求項６】
前記支持パネルに対応すべく、箱体内に当該支持パネルと同じ高さとなるように配した横方向仕切パネルを備え、支持パネルと横方向仕切パネルにより食品トレーパックのフランジ部を支持した請求項４に記載の食品トレーパック収納用包装箱。
【請求項７】
前記支持パネルに対応すべく、箱体内に当該支持パネルと同じ高さとなるように配した縦方向仕切パネルと横方向仕切パネルを備え、支持パネルと縦方向仕切パネルと横方向仕切パネルにより食品トレーパックのフランジ部を支持した請求項４に記載の食品トレーパック収納用包装箱。
【請求項８】
前記縦方向仕切パネルは、２枚折構造である請求項５または７に記載の食品トレーパック収納用包装箱。
【請求項９】
前記横方向仕切パネルは、２枚折構造である請求項６または７に記載の食品トレーパック収納用包装箱。
【請求項１０】
前記縦方向仕切パネルまたは前記横方向仕切パネルの左右両側面は、収納される食品トレーパックの傾斜側壁面に対応して、互いに傾斜して成る請求項５乃至９のいずれかに記載の食品トレーパック収納用包装箱。
【請求項１１】
前記縦方向仕切パネルまたは前記横方向仕切パネルの上縁に、食品トレーパックの取り出しを可能とする切欠部を設けた請求項５乃至１０のいずれかに記載の食品トレーパック収納用包装箱。
【請求項１２】
底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の縦方向仕切パネルを備え、支持パネルと縦方向仕切パネルにより食品トレーパックのフランジ部を支持し、食品トレーパックを箱体内で浮かせた状態で収納することを特徴とする食品トレーパック収納用包装箱。
【請求項１３】
底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の横方向仕切パネルを備え、支持パネルと横方向仕切パネルにより食品トレーパックのフランジ部を支持し、食品トレーパックを箱体内で浮かせた状態で収納することを特徴とする食品トレーパック収納用包装箱。
【請求項１４】
底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の縦方向仕切パネルと横方向仕切パネルを備え、支持パネルと縦方向仕切パネルと横方向仕切パネルにより食品トレーパックのフランジ部を支持し、食品トレーパックを箱体内で浮かせた状態で収納することを特徴とする食品トレーパック収納用包装箱。
【請求項１５】
底パネルの他の対向する２辺から起立して箱体の端壁を形成する端壁パネルの内側に折込配置されるよう、前記側壁パネルの両端部を延長して成る折込パネルを有すると共に、当該折込パネル側に折込形成される支持パネルに対応すべく、前記縦方向仕切パネルに対し交差状に配置された横方向仕切パネルを備え、支持パネルと縦方向仕パネルと横方向仕切パネルにより食品トレーパックのフランジ部を支持し、食品トレーパックを箱体内で浮かせた状態で収納する請求項１４に記載の食品トレーパック収納用包装箱。
【請求項１６】
側壁パネルと端壁パネルが交わる角部の上端面側にＬ字形突起状の差込片を突設し、当該差込片に対応すべく、角部の下側にこの差込片を差込可能とするＬ字形凹状の差込孔が穿設されている請求項１２乃至１５のいずれかに記載の食品トレーパック収納用包装箱。
【請求項１７】
端壁パネルの上端に、側壁パネルの上端の一部を覆う桟を延設すると共に、桟の折込線中央に穿設した孔部から、端壁パネルの上端中央に突設された差込片を外出させ、且つ、当該差込片に対応すべく、端壁パネルの下側にこの差込片を差込可能とする差込孔が穿設されている請求項１２乃至１６のいずれかに記載の食品トレーパック収納用包装箱。
【考案の詳細な説明】
【技術分野】
【０００１】
本考案は、例えば、イチゴやビワ等の果実を入れた食品トレーパックを、複数個まとめて収納するための、段ボール製の食品トレーパック収納用包装箱に関するものである。
【背景技術】
【０００２】
従来において、この種の包装箱としては、段ボール製の箱体の内部を、仕切板を用いて複数の収納部に区画し、これらの収納部の内底部にクッション材等を入れて、そのクッション材の上に食品トレーパックを直接載せるようにしていた。
【特許文献１】特に無し
【考案の開示】
【考案が解決しようとする課題】
【０００３】
しかしながら、収納部の内底部にクッション材等を入れたとしても、輸送時における振動や衝撃により、食品トレーパック内に入れている食品に損傷を与える事態が生じていた。
【０００４】
しかも、包装箱を複数段に積み上げて運搬する際には、振動や衝撃により包装箱同士の重なり部分に位置ズレが生じ、上方に位置する包装箱の角部が下方に位置する包装箱内に入り込んで、下方に位置する包装箱の食品トレーパック内に入れている食品に損傷を与える虞れもあった。
【０００５】
そこで、本考案は如上のような従来存した諸事情に鑑み創案されたもので、輸送時における振動や衝撃により、食品トレーパック内に入れている食品に損傷を与える事態を阻止すると共に、包装箱を複数段に積み上げて運搬する際に、包装箱同士の重なり部分に位置ズレが生じる事態を確実に阻止した食品トレーパック収納用包装箱を提供することを目的とする。
【課題を解決するための手段】
【０００６】
上述した目的を達成するため、本考案に係る食品トレーパック収納用包装箱は、  食品トレーパックを、箱体内で浮かせた状態で収納することで、上述した課題を解決した。
【０００７】
また、箱体の縁に、当該箱体の上端の一部を覆う補強用の桟を設けたことで、同じく上述した課題を解決した。
【０００８】
さらに、箱体の側面上端における中央部もしくは角部に、当該箱体の上側に載せられる他の箱体の側面下端における中央部もしくは角部に形成された差込孔に差込可能とする差込片を備えたことで、同じく上述した課題を解決した。
【０００９】
また、箱体の内側に折り曲げられた側面内壁の延長先端側を、底面部位置から山折り線部分を介して外側へ折り返して、側面内壁の略中間の高さ位置まで当接配置して成る食品トレーパックのフランジ部係止用の支持パネルを備えたことで、同じく上述した課題を解決した。
【００１０】
加えて、前記支持パネルに対応すべく、箱体内に当該支持パネルと同じ高さとなるように配した縦方向仕切パネルを備え、支持パネルと縦方向仕切パネルにより食品トレーパックのフランジ部を支持したことで、同じく上述した課題を解決した。
【００１１】
また、前記支持パネルに対応すべく、箱体内に当該支持パネルと同じ高さとなるように配した横方向仕切パネルを備え、支持パネルと横方向仕切パネルにより食品トレーパックのフランジ部を支持したことで、同じく上述した課題を解決した。
【００１２】
この他、前記支持パネルに対応すべく、箱体内に当該支持パネルと同じ高さとなるように配した縦方向仕切パネルと横方向仕切パネルを備え、支持パネルと縦方向仕切パネルと横方向仕切パネルにより食品トレーパックのフランジ部を支持したことで、同じく上述した課題を解決した。
【００１３】
また、前記縦方向仕切パネルは、２枚折構造であることで、同じく上述した課題を解決した。
【００１４】
さらに、前記横方向仕切パネルは、２枚折構造であることで、同じく上述した課題を解決した。
【００１５】
また、前記縦方向仕切パネルまたは前記横方向仕切パネルの左右両側面は、収納される食品トレーパックの傾斜側壁面に対応して、互いに傾斜して成ることで、同じく上述した課題を解決した。
【００１６】
加えて、前記縦方向仕切パネルまたは前記横方向仕切パネルの上縁に、食品トレーパックの取り出しを可能とする切欠部を設けたことで、同じく上述した課題を解決した。
【００１７】
一方、本考案に係る食品トレーパック収納用包装箱は、底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の縦方向仕切パネルを備え、支持パネルと縦方向仕切パネルにより食品トレーパックのフランジ部を支持し、食品トレーパックを箱体内で浮かせた状態で収納することで、同じく上述した課題を解決した。
【００１８】
また、底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の横方向仕切パネルを備え、支持パネルと横方向仕切パネルにより食品トレーパックのフランジ部を支持し、食品トレーパックを箱体内で浮かせた状態で収納することで、同じく上述した課題を解決した。
【００１９】
さらに、底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の縦方向仕切パネルと横方向仕切パネルを備え、支持パネルと縦方向仕切パネルと横方向仕切パネルにより食品トレーパックのフランジ部を支持し、食品トレーパックを箱体内で浮かせた状態で収納することで、同じく上述した課題を解決した。
【００２０】
また、底パネルの他の対向する２辺から起立して箱体の端壁を形成する端壁パネルの内側に折込配置されるよう、前記側壁パネルの両端部を延長して成る折込パネルを有すると共に、当該折込パネル側に折込形成される支持パネルに対応すべく、前記縦方向仕切パネルに対し交差状に配置された横方向仕切パネルを備え、支持パネルと縦方向仕パネルと横方向仕切パネルにより食品トレーパックのフランジ部を支持し、食品トレーパックを箱体内で浮かせた状態で収納することで、同じく上述した課題を解決した。
【００２１】
加えて、側壁パネルと端壁パネルが交わる角部の上端面側にＬ字形突起状の差込片を突設し、当該差込片に対応すべく、角部の下側にこの差込片を差込可能とするＬ字形凹状の差込孔が穿設されていることで、同じく上述した課題を解決した。
【００２２】
また、端壁パネルの上端に、側壁パネルの上端の一部を覆う桟を延設すると共に、桟の折込線中央に穿設した孔部から、端壁パネルの上端中央に突設された差込片を外出させ、且つ、当該差込片に対応すべく、端壁パネルの下側にこの差込片を差込可能とする差込孔が穿設されていることで、同じく上述した課題を解決した。
【考案の効果】
【００２３】
本考案に係る食品トレーパック収納用包装箱によれば、食品トレーパックを、箱体内で浮かせた状態で収納することから、輸送時に振動や衝撃が加えられたときに、食品トレーパック内に入れている食品に損傷を与える事態を阻止することができる。
【００２４】
すなわち、包装箱の輸送時に振動や衝撃が加えられたとしても、食品トレーパックが箱体内で浮いた状態となっているため、箱体の振動や衝撃が食品トレーパックの底部分に直接的に作用することがなく、食品トレーパック内に入れている食品を保護できるのである。
【００２５】
また、箱体の縁に、当該箱体の上端の一部を覆う補強用の桟を設けたことから、包装箱を積み重ねたとき、上方に位置する包装箱の底部分が下方に位置する包装箱の桟により面状に支持されることとなり、包装箱同士の重なり部分における強度を飛躍的に向上させている。
【００２６】
さらに、箱体の側面上端における中央部もしくは角部に、当該箱体の上側に載せられる他の箱体の側面下端における中央部もしくは角部に形成された差込孔に差込可能とする差込片を備えたことから、下方に位置する箱体の差込片を上方に位する箱体の差込孔に差し込むことにより、包装箱を複数段に積み上げて運搬する際に、包装箱同士の重なり部分に位置ズレが生じる事態を確実に阻止できる。
【００２７】
その結果、振動や衝撃により上方に位置する包装箱の角部が下方に位置する包装箱内に入り込むことがなく、下方に位置する包装箱の食品トレーパック内に入れている食品に損傷を与える事態を確実に阻止できる。
【００２８】
また、箱体の内側に折り曲げられた側面内壁の延長先端側を、底面部位置から山折り線部分を介して外側へ折り返して、側面内壁の略中間の高さ位置まで当接配置して成る食品トレーパックのフランジ部係止用の支持パネルを備えたことから、包装箱の強度を維持することができる。
【００２９】
加えて、前記支持パネルに対応すべく、箱体内に当該支持パネルと同じ高さとなるように配した縦方向仕切パネルを備え、支持パネルと縦方向仕切パネルにより食品トレーパックのフランジ部を支持したことから、食品トレーパックについて、箱体内で浮かせた状態を確実に維持することができる。
【００３０】
また、前記支持パネルに対応すべく、箱体内に当該支持パネルと同じ高さとなるように配した横方向仕切パネルを備え、支持パネルと横方向仕切パネルにより食品トレーパックのフランジ部を支持したことから、同様に、食品トレーパックについて、箱体内で浮かせた状態を確実に維持することができる。
【００３１】
この他、前記支持パネルに対応すべく、箱体内に当該支持パネルと同じ高さとなるように配した縦方向仕切パネルと横方向仕切パネルを備え、支持パネルと縦方向仕切パネルと横方向仕切パネルにより食品トレーパックのフランジ部を支持したことから、同様に、食品トレーパックについて、箱体内で浮かせた状態をより確実に維持することができる。
【００３２】
また、前記縦方向仕切パネルは、２枚折構造であることから、包装箱の内部における強度を維持することができる。
【００３３】
同様に、前記横方向仕切パネルも、２枚折構造であるであることから、包装箱の内部における強度を維持することができる。
【００３４】
さらに、前記縦方向仕切パネルまたは前記横方向仕切パネルの左右両側面は、収納される食品トレーパックの傾斜側壁面に対応して、互いに傾斜して成ることから、食品トレーパックの傾斜側壁面が縦方向仕切パネルの傾斜した左右両側面に面状に接触した状態となり、これにより輸送時における包装箱内の食品トレーパックの振動を最小限に抑えて、食品トレーパック内に入れている食品を保護できる。
【００３５】
また、前記縦方向仕切パネルまたは前記横方向仕切パネルの上縁に、食品トレーパックの取り出しを可能とする切欠部を設けたことから、箱体内に収納されている食品トレーパックの取り出しが容易である。
【００３６】
一方、底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の縦方向仕切パネルを備え、支持パネルと縦方向仕切パネルにより食品トレーパックのフランジ部を支持し、食品トレーパックを箱体内で浮かせた状態で収納することから、箱体の振動や衝撃が食品トレーパックの底部分に直接的に作用することがなく、食品トレーパック内に入れている食品を保護できる。
【００３７】
また、底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の横方向仕切パネルを備え、支持パネルと横方向仕切パネルにより食品トレーパックのフランジ部を支持し、食品トレーパックを箱体内で浮かせた状態で収納することから、同様に、箱体の振動や衝撃が食品トレーパックの底部分に直接的に作用することがなく、食品トレーパック内に入れている食品を保護できるのである。
【００３８】
さらに、底パネルの対向する２辺から起立して箱体の側壁を形成する側壁パネルの端部を延長させ、中間の谷折り線部分を介して内側に折り曲げ、さらに底面部位置から山折り線部分を介して外側へ折り返すことにより側壁パネルの縁端部を箱体の側壁内面略中間に当接配置して成る支持パネルと、当該支持パネルに対応すべく、箱体内に当該支持パネルと同じ高さとなるように配した２枚折構造の縦方向仕切パネルと横方向仕切パネルを備え、支持パネルと縦方向仕切パネルと横方向仕切パネルにより食品トレーパックのフランジ部を支持し、食品トレーパックを箱体内で浮かせた状態で収納することから、同様に、箱体の振動や衝撃が食品トレーパックの底部分に直接的に作用することがなく、食品トレーパック内に入れている食品を保護できるのである。
【００３９】
また、底パネルの他の対向する２辺から起立して箱体の端壁を形成する端壁パネルの内側に折込配置されるよう、前記側壁パネルの両端部を延長して成る折込パネルを有すると共に、当該折込パネル側に折込形成される支持パネルに対応すべく、前記縦方向仕切パネルに対し交差状に配置された横方向仕切パネルを備え、支持パネルと縦方向仕パネルと横方向仕切パネルにより食品トレーパックのフランジ部を支持し、食品トレーパックを箱体内で浮かせた状態で収納することから、同様に、箱体の振動や衝撃が食品トレーパックの底部分に直接的に作用することがなく、食品トレーパック内に入れている食品を保護できるのである。そして、支持パネル自体が、側壁パネルの延長部分と折込パネルとを折り曲げるだけで容易に形成される。
【００４０】
加えて、支持パネル自体が、側壁パネルの延長部分を折り曲げるだけで形成されるため、部材点数が少なくて済み、箱体の製造が容易である。さらに、箱体の製造コストも低く抑えることができる。
【００４１】
また、側壁パネルと端壁パネルが交わる角部の上端面側にＬ字形突起状の差込片を突設し、当該差込片に対応すべく、角部の下側にこの差込片を差込可能とするＬ字形凹状の差込孔が穿設されていることから、下方に位置する箱体の差込片を上方に位する箱体の差込孔に差し込むことにより、包装箱を複数段に積み上げて運搬する際に、包装箱同士の重なり部分に位置ズレが生じる事態を確実に阻止できる。
【００４２】
その結果、振動や衝撃により上方に位置する包装箱の角部が下方に位置する包装箱内に入り込むことがなく、下方に位置する包装箱の食品トレーパック内に入れている食品に損傷を与える事態を確実に阻止できる。
【００４３】
この他、端壁パネルの上端に、側壁パネルの上端の一部を覆う桟を延設すると共に、桟の折込線中央に穿設した孔部から、端壁パネルの上端中央に突設された差込片を外出させ、且つ、当該差込片に対応すべく、端壁パネルの下側にこの差込片を差込可能とする差込孔が穿設されていることから、包装箱を積み重ねたとき、上方に位置する包装箱の底部分が下方に位置する包装箱の桟により面状に支持されて包装箱同士の重なり部分における強度が飛躍的に向上し、また、差込片が差込孔に挿入され、包装箱同士の重なり部分に位置ズレが生じる事態を確実に阻止している。
【考案を実施するための最良の形態】
【００４４】
以下に、本考案を実施するための最良の形態を、図面を参照して説明する。
【００４５】
本考案に係る食品トレーパック収納用包装箱は、図１・図２に示すように、トレー状の箱体１により構成されている。この箱体１は、図４の展開図に示すように、矩形板状の底パネル２の対向する左右両辺を、谷折り線部分Ｑを介して起立させることで、箱体１の側壁を形成する側壁パネル５が延設されている。また、両側壁パネル５のそれぞれの端部からは、２重の谷折り線部分Ｑを介して支持パネル６の形成部分が延設されている。
【００４６】
すなわち、支持パネル６は、この中間の長手方向に沿って上下一対に形成された山折り線部分Ｐを介して略コ字状の３個の切込み部分７が形成され、中間の切込み部分７の中央には、後述する横方向仕切パネル１２の両端の差込片１２Ａを取り付けるための矩形状の差込孔８が形成されている。そして、支持パネル６の長手方向の両端側には、折込パネル６Ａが形成されている。
【００４７】
箱体１の組立に際し、この支持パネル６の形成は、底パネル２の左右両辺の谷折り線部分Ｑを介して内側に折り曲げることで側壁パネル５を起立させ、さらに２重の谷折り線部分Ｑを介して内側にＵ字状に折り曲げ、且つ両端の折込パネル６Ａを内側に折り曲げてから、山折り線部分Ｐを介して底面部位置から外側へ折り返すことにより、縁端部を箱体１の側壁内面略中間に当接配置させている（図１参照）。
【００４８】
また、図４に示すように、底パネル２の上下両辺には、箱体１の端壁を形成するための２つの端壁パネル３・４が、谷折り線部分Ｑを介して延設されている。すなわち、この端壁パネル３・４を、２つの谷折り線部分Ｑを介して内側に巻き込むようにして折り曲げることで、起立した状態の端壁が形成される。そして、内側に位置する一方の端壁パネル３の左右両側には、折込パネル３Ａが形成され、外側に位置する他方の端壁パネル４の左右両側には、支持パネル６の両端側の差込部６Ｂを差し込むための矩形状の切欠部４Ｂが形成されている。
【００４９】
さらに、外側に位置する他方の端壁パネル４の端部中央には、後述する縦方向仕切パネル１１の両端の差込片１１Ａを取り付けるための略八の字状の差込溝４Ａが形成されている。また、底パネル２の４つの角部から内側に位置する一方の端壁パネル３と折込パネル３Ａにかけて、略Ｔ字形スリット状の差込孔９が形成されている。また、この差込孔９に対向すべく、内側に位置する一方の端壁パネル３と外側に位置する他方の端壁パネル４との間の谷折り線部分Ｑの両端側には、切込み部分７を介して突起状の差込片１０が形成されている。
【００５０】
こうすることで、箱体１の組立後の状態においては、図１に示すように、側壁パネル５と端壁パネル３が交わる角部の上端面側にＬ字形突起状の差込片１０が配置され、当該差込片１０に対応すべく、箱体１の角部の下側には、この差込片１０を差込可能とするＬ字形凹状の差込孔９が穿設されている。
【００５１】
箱体１内に配される縦方向仕切パネル１１は、図５の展開図に示すように、長尺な矩形板における中央の長手方向に沿って２つの谷折り線部分Ｑを平行に設けている。また、矩形板の中央には、この谷折り線部分Ｑの中間を横切るように、矩形スリット状の差込孔１１Ｃが穿設されている。さらに、この差込孔１１Ｃを介して配される２本の谷折り線部分Ｑのそれぞれの中間には、互いに対向する略コ字形スリット状の切込み部分７が形成されている。また、矩形板の長手方向の両端部には、谷折り線部分Ｑの外側に位置するように、それぞれ２つの突起状の差込片１１Ａが形成されている。
【００５２】
箱体１内に配される横方向仕切パネル１２は、図６の展開図に示すように、短尺な矩形板の左右両端の下側に、支持パネル６の差込孔８に差し込むための差込片１２Ａが形成されている。また、矩形板の上側に形成された凹所の中央には、縦方向仕切パネル１１の差込孔１１Ｃに対して交差状に差し込むための、略八の字状の差込溝１２Ｂが形成されている。
【００５３】
箱体１内に縦方向仕切パネル１１および横方向仕切パネル１２を組み付ける際には、図１に示すように、谷折り線部分Ｑを介して略コ字状に折り曲げられた縦方向仕切パネル１１の差込孔１１Ｃと横方向仕切パネル１２の差込溝１２Ｂを合致させる。そして、横方向仕切パネル１２の差込片１２Ａを支持パネル６の差込孔８に差し込み、且つ縦方向仕切パネル１１の差込片１１Ａを端壁パネル４の差込溝４Ａに差し込むことで、図２に示すように、箱体１内は４つの収納部に区画されると共に、支持パネル６に対向すべく、箱体１内に当該支持パネル６と同じ高さとなるように、２枚折構造の縦方向仕切パネル１１が配置される。
【００５４】
このとき、端壁パネル４の差込溝４Ａが略八の字状に形成されているため、この差込溝４Ａに差込片１１Ａを差し込む縦方向仕切パネル１１の起立した左右両側面は、収納される食品トレーパックＳの傾斜側壁面に対応して、互いに傾斜した状態となって配置される（図３参照）。また、縦方向仕切パネル１１の上縁には、食品トレーパックＳの取り出しを容易にするために、略半円状の切欠部１１Ｄを設けている。
【００５５】
そして、支持パネル６と縦方向仕切パネル１１により、食品トレーパックＳのフランジ部Ｆを下側から支持し、食品トレーパックＳを、箱体１内で浮かせた状態で収納している。すなわち、支持パネル６と縦方向仕切パネル１１により食品トレーパックＳのフランジ部Ｆを下側から支持することにより、食品トレーパックＳの底部が箱体１の底パネル２から離れた状態になっているのである。
【００５６】
尚、前記横方向仕切パネル１２の高さを支持パネル６と同じ高さに設定することで、支持パネル６と横方向仕切パネル１２により食品トレーパックＳのフランジ部Ｆを下側から支持してもよい。また、支持パネル６と縦方向仕切パネル１１と横方向仕切パネル１２により食品トレーパックＳのフランジ部Ｆを下側から支持してもよい。
【００５７】
次に、以上のように構成された本考案の最良の形態について、組立の一例を説明する。
【００５８】
まず、端壁パネル３を谷折り線部分Ｑを介して内側に折り曲げることで、端壁パネル３を起立させる。そして、端壁パネル３の折込パネル３Ａも、内側に折り曲げる。
【００５９】
次に、底パネル２の左右両辺の谷折り線部分Ｑを内側に折り曲げることで、側壁パネル５を起立させる。このとき、端壁パネル３の折込パネル３Ａに側壁パネル５が接するようにする。そして、２重の谷折り線部分Ｑを内側にＵ字状に折り曲げ、端壁パネル３の折込パネル３Ａを跨ぐようにして、支持パネル６を箱体１内に配置する。このとき折込パネル６Ａは、端壁パネル３に接するように内側に折り曲げる。その後、支持パネル６は、山折り線部分Ｐを介して箱体1の底面部の位置から外側へ折り返すことにより、縁端部を箱体１の側壁内面略中間に当接配置させる。
【００６０】
次に、端壁パネル４を谷折り線部分Ｑを介してさらに内側に折り曲げることで、端壁パネル４を箱体１内に配置する。このとき、端壁パネル４の切欠部４Ｂに支持パネル６差込部６Ｂが差し込まれた状態となる。
【００６１】
一方、図１・図２に示すように、谷折り線部分Ｑを介して略コ字状に折り曲げられた縦方向仕切パネル１１の差込孔１１Ｃと横方向仕切パネル１２の差込溝１２Ｂを合致させる。また、横方向仕切パネル１２の差込片１２Ａを支持パネル６の差込孔８に差し込み、且つ縦方向仕切パネル１１の差込片１１Ａを端壁パネル４の差込溝４Ａに差し込むことで、箱体１内は４つの収納部に区画される。
【００６２】
この状態において、図２・図３に示すように、箱体１に食品トレーパックＳを
配置すると、支持パネル６と縦方向仕切パネル１１により、食品トレーパックＳのフランジ部Ｆを下側から支持し、食品トレーパックＳを、箱体１内で浮かせた状態となる。また、縦方向仕切パネル１１の起立した左右両側面は、収納される食品トレーパックＳの傾斜側壁面に沿うように配置される。
【００６３】
この他、図７乃至図１２には、本考案を実施するための最良の形態における他例が示されている。尚、上記した実施の形態における構成と略同じ部分には、同じ符号を付すことにより、その詳細な説明を省略する。
【００６４】
すなわち、本例においては、図１０に示すように、底パネル２の対向する上下両辺から起立して箱体１の端壁を形成する端壁パネル３に、桟２０を延設している。この桟２０は、折込線２１を介して折り曲げ可能であり、側壁パネル５の上端の一部を覆う補強用のものである。
【００６５】
また、側壁パネル５の両端に配した折込パネル５Ａの先端において、外側に向けて突出するように差込片２２を設けている。
【００６６】
一方、桟２０の折込線２１の中央には、矩形状の孔部２３を穿設している。そして、両折込パネル５Ａの内側への折り込みにより、近接した両差込片２２が、折込線２１の孔部２３に差し込まれ、差込片２２の先端部が、桟２０の孔部２３から上方に突出するようになっている。
【００６７】
そして、この突出する差込片２２に対応して、端壁パネル３と底パネル２との間の谷折り線部分Ｑの中央には、他の箱体１の差込片２２を差込可能とする矩形状の差込孔２４が穿設されている。
【００６８】
また、側壁パネル５と支持パネル６の間に位置する２重の谷折り線部分Ｑの両端側には、桟２０の両端に形成されたフラップ部２５を差し込むための差込孔２６が穿設されている。
【００６９】
また、一方の折込パネル６Ａとそれに対応する支持パネル６と、他方の折込パネル６Ａとそれに対応する支持パネル６は、その長さが異なっている。具体的には、図１０に示すように、底パネル２の右方に位置する折込パネル６Ａとそれに対応する支持パネル６は、短く形成されている。また、底パネル２の左方に位置する折込パネル６Ａとそれに対応する支持パネル６は、長く形成されている。
【００７０】
箱体１内に配される縦方向仕切パネル３１は、図１１の展開図に示すように、長尺な矩形板における長手方向に沿って２つの谷折り線部分Ｑを平行に設けている。また、矩形板の中央には、矩形状に形成された一対の差込溝３２を設けている。さらに、矩形板の長手方向における両端部中央には、突起状の差込片３３をもうけている。また、縦方向仕切パネル３１には、食品トレーパックＳの取り出しを容易にするために、略半円状の切欠部３１Ｄを設けている。
【００７１】
箱体１内に配される横方向仕切パネル４１は、図１２の展開図に示すように、短尺な矩形板における中央の長手方向に沿って２つの谷折り線部分Ｑを平行に設けている。また、矩形板における長手方向の左右両端に、支持パネル６の差込孔８に差し込むための差込片４２を設けている。さらに、矩形板における中央には、２つの谷折り線部分Ｑの中間を横切るように、矩形スリット状の差込孔４３を設けている。
【００７２】
箱体１内に縦方向仕切パネル３１および横方向仕切パネル４１を組み付ける際には、図７に示すように、谷折り線部分Ｑを介して略コ字状に折り曲げられた縦方向仕切パネル３１の差込溝３２と、横方向仕切パネル４１の差込孔４３を合致させる。そして、横方向仕切パネル４１の差込片４２を支持パネル６の差込孔８に差し込み、且つ縦方向仕切パネル３１の差込片３３を、支持パネル６の差込溝４Ａに差し込む。この差込溝４Ａは、差込片３３の形状に合わせて、方形状に形成されている。
【００７３】
この縦方向仕切パネル３１と横方向仕切パネル４１により、図８に示すように、箱体１内は４つの収納部に区画される。また、支持パネル６に対応すべく、箱体１内に当該支持パネル６と同じ高さとなるように、２枚折構造の縦方向仕切パネル３１および横方向仕切パネル４１がそれぞれ配置されることとなる。
【００７４】
次に、以上のように構成された本考案の最良の形態について、組立の一例を説明する。
【００７５】
まず、２重の谷折り線部分Ｑを内側にＵ字状に折り曲げ、側壁パネル５と支持パネル６が接するようにする。そして、支持パネル６は、山折り線部分Ｐを介して箱体1の底面部の位置から外側へ折り返すことにより、縁端部を箱体１の側壁内面略中間に当接配置させる。この状態で底パネル２の左右両辺の谷折り線部分Ｑを内側に折り曲げることで、側壁パネル５を起立させる。このとき、折込パネル５Ａ・６Ａを、一緒に内側に折り曲げる。
【００７６】
そして、図７に示すように、一方の折込パネル５Ａ・６Ａの先端部と、他方の折込パネル５Ａ・６Ａの先端部が接するようにする。
【００７７】
このとき、図７に示すように、一方の折込パネル５Ａと他方の折込パネル５Ａの長さは同一であるため、その接触点は、底パネル２の中央になる。また、底パネル２の右方に位置する折込パネル６Ａとそれに対応する支持パネル６は、短く形成され、底パネル２の左方に位置する折込パネル６Ａとそれに対応する支持パネル６は、長く形成されているため、その接触点は、底パネル２の中央から右方に若干ずれた位置になる。
【００７８】
この状態において、端壁パネル３を谷折り線部分Ｑを介して内側に折り曲げることで、端壁パネル３を起立させる。このとき、折込パネル５Ａと端壁パネル３が接するようにする。
【００７９】
そして、折込線２１を介して桟２０を折り曲げ、側壁パネル５の上端の一部を覆うようにする。具体的には、桟２０の両端に形成されたフラップ部２５を、側壁パネル５と支持パネル６との間に位置する２重の谷折り線部分Ｑに穿設した差込孔２６に差し込むのである。
【００８０】
このとき、桟２０の折込線２１の中央に穿設した孔部２３に、近接した両差込片２２が差し込まれ、差込片２２の先端部が、桟２０の孔部２３から上方に突出する。
【００８１】
そして、図７に示すように、谷折り線部分Ｑを介して略コ字状に折り曲げられた縦方向仕切パネル３１の差込溝３２と、横方向仕切パネル４１の差込孔４３を合致させる。また、横方向仕切パネル４１の差込片４２を支持パネル６の差込孔８に差し込み、且つ縦方向仕切パネル３１の差込片３３を支持パネル６の差込溝４Ａに差し込む。すると、図８に示すように、箱体１内は４つの収納部に区画される。
【００８２】
この状態において、図８・図９に示すように、箱体１に食品トレーパックＳを配置すると、支持パネル６と縦方向仕切パネル３１と横方向仕切パネル４１により、食品トレーパックＳのフランジ部Ｆを下側から支持し、食品トレーパックＳを箱体１内で浮かせた状態となる。
【００８３】
また、箱体２を積み重ねたとき、下方に位置する箱体１の差込片２２が、上方に位置する箱体１の差込孔２４に差し込まれる。
【産業上の利用可能性】
【００８４】
本考案は、輸送時における振動や衝撃により、食品トレーパック内に入れている食品に損傷を与える事態を阻止すると共に、包装箱を複数段に積み上げて運搬する際に、包装箱同士の重なり部分に位置ズレが生じる事態を確実に阻止するもので、種々の食品トレーパック収納用包装箱として広く利用することができる。
【図面の簡単な説明】
【００８５】
【図１】箱体の全体構成を示す分解斜視図である。
【図２】箱体の使用状態を示す分解斜視図である。
【図３】図２中の、Ｘ−Ｘ線断面図である。
【図４】箱体の展開図である。
【図５】縦方向仕切パネルの展開図である。
【図６】横方向仕切パネルの側面図である。
【図７】他の箱体の全体構成を示す分解斜視図である。
【図８】他の箱体の使用状態を示す分解斜視図である。
【図９】図８中の、Ｙ−Ｙ線断面図である。
【図１０】他の箱体の展開図である。
【図１１】他の箱体の縦方向仕切パネルの展開図である。
【図１２】他の箱体の横方向仕切パネルの展開図である。
【符号の説明】
【００８６】
Ｐ…山折り線部分            Ｑ…谷折り線部分
Ｓ…食品トレーパック        Ｆ…フランジ部
１…箱体                    ２…底パネル
３…端壁パネル            ３Ａ…折込パネル
４…端壁パネル            ４Ａ…差込溝
４Ｂ…切欠部                  ５…側壁パネル
５Ａ…折込パネル              ６…支持パネル
６Ａ…折込パネル            ６Ｂ…差込部
７…切込み部分              ８…差込孔
９…差込孔                １０…差込片
１１…縦方向仕切パネル    １１Ａ…差込片
１１Ｃ…差込孔              １１Ｄ…切欠部
１２…横方向仕切パネル
１２Ａ…差込片              １２Ｂ…差込溝
２０…桟                    ２１…折込線
２２…差込片                ２３…孔部
２４…差込孔                ２５…フラップ部
２６…差込孔
３１…縦方向仕切パネル    ３１Ｄ…切欠部  
３２…差込溝                ３３…差込片
４１…横方向仕切パネル      ４２…差込片
４３…差込孔
【図１】
0003116606.tif 000003
【図２】
0003116606.tif 000004
【図３】
0003116606.tif 000005
【図４】
0003116606.tif 000006
【図５】
0003116606.tif 000007
【図６】
0003116606.tif 000008
【図７】
0003116606.tif 000009
【図８】
0003116606.tif 000010
【図９】
0003116606.tif 000011
【図１０】
0003116606.tif 000012
【図１１】
0003116606.tif 000013
【図１２】
0003116606.tif 000014
【手続補正書】
【提出日】平成17年9月26日(2005.9.26)
【手続補正１】
【補正対象書類名】実用新案登録請求の範囲
【補正対象項目名】請求項１
【補正方法】変更
【補正の内容】
【請求項１】
矩形板状の底パネルと、底パネルの左右に位置する側壁パネルと、底パネルの前後に位置する端壁パネルとから箱体を構成し、この箱体の側面内壁の略中間までの高さとなる支持パネルを備え、該支持パネルの上端に食品トレーパックのフランジ部を係止させることで、食品トレーパックを箱体内で浮かせた状態で収納できるように形成したことを特徴とする食品トレーパック収納用包装箱。
【手続補正２】
【補正対象書類名】実用新案登録請求の範囲
【補正対象項目名】請求項２
【補正方法】変更
【補正の内容】
【請求項２】
箱体の端壁を形成する端壁パネルに、折込線を介して折り曲げ可能な桟を延設し、箱体の縁側上端一部を覆うように折込線を介して折り曲げることで補強部を形成した請求項１に記載の食品トレーパック収納用包装箱。
【手続補正３】
【補正対象書類名】実用新案登録請求の範囲
【補正対象項目名】請求項３
【補正方法】変更
【補正の内容】
【請求項３】
箱体の側面上端における中央部もしくは角部に差込片を備え、箱体の側面下端における中央部もしくは角部に差込孔を備え、差込片は、上側に載せられる他の箱体の差込片に差込可能となるように形成した請求項１または２に記載の食品トレーパック収納用包装箱。
【手続補正４】
【補正対象書類名】明細書
【補正対象項目名】０００６
【補正方法】変更
【補正の内容】
【０００６】
上述した目的を達成するため、本考案に係る食品トレーパック収納用包装箱は、矩形板状の底パネルと、底パネルの左右に位置する側壁パネルと、底パネルの前後に位置する端壁パネルとから箱体を構成し、この箱体の側面内壁の略中間までの高さとなる支持パネルを備え、該支持パネルの上端に食品トレーパックのフランジ部を係止させることで、食品トレーパックを箱体内で浮かせた状態で収納できるように形成したことで、上述した課題を解決した。
【手続補正５】
【補正対象書類名】明細書
【補正対象項目名】０００７
【補正方法】変更
【補正の内容】
【０００７】
また、箱体の端壁を形成する端壁パネルに、折込線を介して折り曲げ可能な桟を延設し、箱体の縁側上端一部を覆うように折込線を介して折り曲げることで補強部を形成したことで、同じく上述した課題を解決した。
【手続補正６】
【補正対象書類名】明細書
【補正対象項目名】０００８
【補正方法】変更
【補正の内容】
【０００８】
さらに、箱体の側面上端における中央部もしくは角部に差込片を備え、箱体の側面下端における中央部もしくは角部に差込孔を備え、差込片は、上側に載せられる他の箱体の差込片に差込可能となるように形成したことで、同じく上述した課題を解決した。